(57)【要約】【課題】本発明は、表示パネルの重ね合わせによる干渉縞を低減することのできる表示装置を提供する。【解決手段】本発明の表示装置は、ライトボックスと、前面表示パネルと、後面表示パネルと、少なくとも１つの側面光源と、少なくとも１枚の光学フィルムとを含む。ライトボックスは、対向する前面板および後面板と、前面板および後面板に隣接する少なくとも１つの横板とを有するとともに、前面板が開口を有する。前面表示パネルは、前面板の開口に位置する。後面表示パネルは、ライトボックス内に位置する。側面光源は、横板に位置する。光学フィルムは、前面表示パネルと後面表示パネルとの間に位置する。光学フィルムは、約１０〜９０％のヘイズ値（Ｈａｚｅ）を有する。【選択図】図１
2015072441.tif 000002
【特許請求の範囲】
【請求項１】
対向する前面板および後面板と、前記前面板および前記後面板に隣接する少なくとも１つの横板とを有し、前記前面板が開口を有するライトボックスと、
前記前面板の前記開口に位置する前面表示パネルと、
前記ライトボックス内に位置する後面表示パネルと、
前記横板に位置する少なくとも１つの側面光源と、
前記前面表示パネルと前記後面表示パネルとの間に位置し、ヘイズ値を有する少なくとも１枚の光学フィルムと、を含み、
前記ヘイズ値は、約１０〜９０％であることを特徴とする表示装置。
【請求項２】
前記光学フィルムの前記ヘイズ値は、約１３〜８８％であることを特徴とする請求項１に記載の表示装置。
【請求項３】
前記光学フィルムの前記ヘイズ値は、約２５〜５０％であることを特徴とする請求項１に記載の表示装置。
【請求項４】
前記光学フィルムを載置するキャリア板をさらに含むことを特徴とする請求項２に記載の表示装置。
【請求項５】
前記キャリア板は、前記光学フィルムと前記後面表示パネルとの間に介在することを特徴とする請求項４に記載の表示装置。
【請求項６】
前記キャリア板の屈折率は、約１〜３であることを特徴とする請求項５に記載の表示装置。
【請求項７】
前記キャリア板の厚さＴは、０ｍｍ＜Ｔ≦５０ｍｍをほぼ満足することを特徴とする請求項５に記載の表示装置。
【請求項８】
前記キャリア板の厚さＴは、２ｍｍ≦Ｔ≦５０ｍｍをほぼ満足することを特徴とする請求項５に記載の表示装置。
【請求項９】
前記キャリア板の厚さＴは、１０ｍｍ≦Ｔ≦２０ｍｍをほぼ満足することを特徴とする請求項５に記載の表示装置。
【請求項１０】
前記キャリア板は、前記光学フィルムと前記前面表示パネルとの間に介在することを特徴とする請求項４に記載の表示装置。
【請求項１１】
前記光学フィルムと前記後面表示パネルとの間には、エアギャップが存在することを特徴とする請求項１に記載の表示装置。
【請求項１２】
前記前面表示パネルと前記後面表示パネルとの間の距離は、約１〜２０ｃｍであることを特徴とする請求項１に記載の表示装置。
【請求項１３】
前記光学フィルムは、偏光構造を有することを特徴とする請求項１に記載の表示装置。
【請求項１４】
前記後面表示パネルは、
下偏光フィルムと、
前記下偏光フィルムと前記光学フィルムとの間に位置するアレイ基板と、
前記アレイ基板と前記光学フィルムとの間に位置し、前記光学フィルムとの間にいずれの偏光フィルムを有していない対向基板と、
前記アレイ基板と前記対向基板との間に位置する液晶層と、を含むことを特徴とする請求項１に記載の表示装置。
【請求項１５】
前記後面表示パネルの後方に位置することで、前記光学フィルムとの間に前記後面表示パネルを位置させるバックライトモジュールをさらに含むことを特徴とする請求項１に記載の表示装置。
【請求項１６】
前記前面表示パネルは、透明表示パネルであることを特徴とする請求項１に記載の表示装置。
【請求項１７】
前記光学フィルムは、前記後面表示パネル上に直接貼り付けられることを特徴とする請求項１に記載の表示装置。
【発明の詳細な説明】
【技術分野】
【０００１】
本発明は、表示装置に関するものである。
【背景技術】
【０００２】
従来の技術では、重ね合わせた二枚の表示パネルを用いて画像を出力する場合、二枚の表示パネルの画素（Ｐｉｘｅｌ）の構造があまりにも規則化されているため、干渉縞（Ｍｏｉｒe  Ｐａｔｔｅｒｎ）現象が発生することがよくある。このような干渉縞現象によって、表示品質に大きな影響を与えてしまう。
【０００３】
このような干渉縞現象を解消するために、一部の製造者は、二枚の表示パネル間の距離と角度を調整して干渉縞による影響を軽減させる。しかしながら、製品仕様の制限によって、二枚の表示パネル間の距離を無限大にすることは不可能である。また、二枚の表示パネル間の角度を調整することによって、画面が斜めになるという問題があった。そのため、二枚の表示パネル間の角度を自在に調整することも不可能である。
【先行技術文献】
【特許文献】
【０００４】
【特許文献１】台湾特許第３６２５２９号公報
【特許文献２】台湾特許出願公開第２００９１６８２６号公報
【発明の概要】
【発明が解決しようとする課題】
【０００５】
したがって、干渉縞による表示品質への影響を効果的に軽減することは、関連産業にとって早急に解決が求められる技術課題である。
【０００６】
本発明の一態様は、表示パネルの重ね合わせによる干渉縞を低減することのできる表示装置を提供する。
【課題を解決するための手段】
【０００７】
本発明の一実施形態に係る表示装置は、ライトボックスと、前面表示パネルと、後面表示パネルと、少なくとも１つの側面光源と、少なくとも１枚の光学フィルムとを含む。ライトボックスは、対向する前面板および後面板と、前面板および後面板に隣接する少なくとも１つの横板とを有するとともに、前面板が開口を有する。前面表示パネルは、前面板の開口に位置する。後面表示パネルは、ライトボックス内に位置する。側面光源は、横板に位置する。光学フィルムは、前面表示パネルと後パネルとの間に位置し、ヘイズ値（Ｈａｚｅ）を有する。ヘイズ値は、約１０〜９０％である。
【０００８】
本発明の一つ以上の実施形態において、前記光学フィルムのヘイズ値は、約１３〜８８％である。
【０００９】
本発明の一つ以上の実施形態において、前記光学フィルムのヘイズ値は、約２５〜５０％である。
【００１０】
本発明の一つ以上の実施形態において、前記表示装置は、光学フィルムを載置するキャリア板をさらに含む。
【００１１】
本発明の一つ以上の実施形態において、前記キャリア板は、光学フィルムと後面表示パネルとの間に介在する。
【００１２】
本発明の一つ以上の実施形態において、前記キャリア板の屈折率は、約１〜３である。
【００１３】
本発明の一つ以上の実施形態において、前記キャリア板の厚さＴは、０ｍｍ＜Ｔ≦５０ｍｍをほぼ満足する。
【００１４】
本発明の一つ以上の実施形態において、前記キャリア板の厚さＴは、２ｍｍ≦Ｔ≦５０ｍｍをほぼ満足する。
【００１５】
本発明の一つ以上の実施形態において、前記キャリア板の厚さＴは、１０ｍｍ≦Ｔ≦２０ｍｍをほぼ満足する。
【００１６】
本発明の一つ以上の実施形態において、前記キャリア板は、光学フィルムと前面表示パネルとの間に介在する。
【００１７】
本発明の一つ以上の実施形態において、前記光学フィルムと後面表示パネルとの間には、エアギャップが存在する。
【００１８】
本発明の一つ以上の実施形態において、前記前面表示パネルと後面表示パネルとの間の距離は、約１〜２０ｃｍである。
【００１９】
本発明の一つ以上の実施形態において、前記光学フィルムは、偏光構造を有する。
【００２０】
本発明の一つ以上の実施形態において、前記後面表示パネルは、下偏光フィルムと、アレイ基板と、対向基板と、液晶層とを含む。アレイ基板は、下偏光フィルムと光学フィルムとの間に位置する。対向基板は、アレイ基板と光学フィルムとの間に位置し、光学フィルムとの間にいずれの偏光フィルムを有していない。液晶層は、アレイ基板と対向基板との間に位置する。
【００２１】
本発明の一つ以上の実施形態において、前記表示装置は、前記後面表示パネルの後方に位置することで、光学フィルムとの間に後面表示パネルを位置させるバックライトモジュールをさらに含む。
【００２２】
本発明の一つ以上の実施形態において、前記前面表示パネルは、透明表示パネルである。
【００２３】
本発明の一つ以上の実施形態において、前記光学フィルムは、後面表示パネル上に直接貼り付けられる。
【発明の効果】
【００２４】
本発明の表示装置によれば、表示パネルの重ね合わせによる干渉縞を低減することができる。
【図面の簡単な説明】
【００２５】
【図１】本発明の第１実施形態に係る表示装置を示す概略断面図である。
【図２】本発明の複数の実施例の光学フィルムのヘイズ値、および対応するキャリア板の厚さを示すグラフである。
【図３】本発明の第２実施形態に係る表示装置を示す概略断面図である。
【図４】本発明の第３実施形態に係る表示装置を示す概略断面図である。
【図５】本発明の第４実施形態に係る表示装置を示す概略断面図である。
【発明を実施するための形態】
【００２６】
以下、図面で本発明の複数の実施形態を開示し、明確に説明するために、実務上の詳細の多くを、下記で説明する。しかし、これら実務上の詳細は、決して本発明を限定するものではないことを理解されたい。即ち、本発明の実施形態の一部において、これら実務上の詳細は必要なものではない。なお、図面を簡略化するために、従来から慣用されている構造と素子を、図面で簡単に示している。
【００２７】
（第１実施形態）
図１は、本発明の第１実施形態に係る表示装置を示す概略断面図である。図１に示すように、表示装置は、ライトボックス１１０と、前面表示パネル１２０と、後面表示パネル１３０と、少なくとも１つの側面光源１４０と、少なくとも１枚の光学フィルム１５０とを含んでいる。ライトボックス１１０は、対向する前面板１１２および後面板１１４と、前面板１１２および後面板１１４に隣接する少なくとも１つの横板１１６とを有するとともに、前面板１１２が開口Ｏを有している。前面表示パネル１２０は、前面板１１２の開口Ｏに位置している。後面表示パネル１３０は、ライトボックス１１０内に位置している。側面光源１４０は、横板１１６に位置している。光学フィルム１５０は、前面表示パネル１２０と後面表示パネル１３０との間に位置し、約１０〜９０％のヘイズ値を有している。
【００２８】
使用者の肉眼に対して、前記光学フィルム１５０は、ヘイズ値を有するので、後面表示パネル１３０の画素アレイ配列をぼやかすことができ、後面表示パネル１３０の画素アレイ配列と前面表示パネル１２０の画素アレイ配列との交互作用が生じることなく、干渉縞の発生を低減させる。
【００２９】
前記光学フィルム１５０のヘイズ値は、実際の状況に応じて選択されるものである。一部の実施形態において、前記光学フィルム１５０のヘイズ値は、約１３〜８８％であってもよい。好ましくは、前記光学フィルム１５０のヘイズ値は、約２５〜５０％であってもよい。以上に挙げた光学フィルム１５０のヘイズ値はあくまで例示であり、本発明を限定するものではないことを理解されたい。光学フィルム１５０のヘイズ値は、当業者が実際の需要に応じて変更できるものである。
【００３０】
本実施例および関連する後述において、「約」または「ほぼ」は何らかの微量の変化を修飾するためのものであるが、このような微量の変化によって本質を変えることはない。例えば、「光学フィルム１５０は、約１０〜９０％のヘイズ値を有する」という表現は光学フィルム１５０のヘイズ値が確実に１０〜９０％であるということを意味する以外にも、干渉縞の発生を低減できるのであれば、光学フィルム１５０のヘイズ値はやや１０％より下回り、またはやや９０％より上回ってもよいともいえる。実施形態において、「約」、「おおよそ」または「ほぼ」で修飾された数値の誤差範囲は、一般に２０％以内にあることを許容し、１０％以内にあることが好ましく、５％以内にあることがさらに好ましい。
【００３１】
前記光学フィルム１５０は、ヘイズ値を有するフィルムであればよい。本実施形態において、前記光学フィルム１５０は、ヘイズ値を有する偏光フィルムであってもよい。そのため、本実施形態の光学フィルム１５０は、偏光構造を有してもよい。また、本実施形態において、光学フィルム１５０の厚さは、０．０５〜２ｍｍであってもよい。以上に挙げた光学フィルム１５０の実施形態はあくまで例示であり、本発明を限定するものではないことを理解されたい。光学フィルム１５０の実施形態は、当業者が実際の需要に応じて変更できるものである。
【００３２】
本実施形態において、光学フィルム１５０と前面表示パネル１２０との間には、展示物を展示するための展示空間Ｉを有している。例えば、芸術品、商品、パチンコ台、ゲーム台などは、前記展示空間Ｉ内に設置されてもよい。前記側面光源１４０は、展示空間Ｉに光線を照射して展示空間Ｉ内の展示物を照らすことが可能である。しかしながら、光学フィルム１５０のヘイズ値が高すぎると、側面光源１４０から光学フィルム１５０に照射された光線の散乱が目立ちすぎで、後面表示パネル１３０の画像のコントラストを低下させてしまう場合もある。
【００３３】
上記に起因する問題を解決するため、製造者は、光学フィルム１５０と後面表示パネル１３０との間の距離を長くすることが好適である。一般に、光学フィルム１５０と後面表示パネル１３０との間の距離が長いほど、光学フィルム１５０から観測された後面表示パネル１３０の画素アレイ配列がぼやけていく。光学フィルム１５０から観測された後面表示パネル１３０の画素アレイ配列がぼやけた以上、光学フィルム１５０のヘイズ値を高くすることなく、後面表示パネル１３０の画素アレイ配列を十分にぼやかして干渉縞を低減させることができる。
【００３４】
光学フィルム１５０と後面表示パネル１３０との間の距離を長くするため、製造者は、光学フィルム１５０と後面表示パネル１３０との間にキャリア板１６０を設置し、しかもキャリア板１６０により光学フィルム１５０と後面表示パネル１３０との間の距離を定義することが好適である。具体的には、キャリア板１６０における、後面表示パネル１３０と反対側の一面は、光学フィルム１５０（即ち、キャリア板１６０と光学フィルム１５０との間にはエアギャップが存在しない）に直接接触する一方、キャリア板１６０における、後面表示パネル１３０に対向する一面は、後面表示パネル１３０（即ち、キャリア板１６０と後面表示パネル１３０との間にはエアギャップが存在しない）に直接接触してもよい。このような配置により、図１から分かるように、キャリア板１６０の厚さＴは、光学フィルム１５０と後面表示パネル１３０との間の距離に略等しい。そのため、キャリア板１６０の厚さＴが厚いほど、必要とする光学フィルム１５０のヘイズ値が小さくなる。
【００３５】
本実施形態において、前記キャリア板１６０の厚さＴは、０ｍｍ＜Ｔ≦５０ｍｍをほぼ満足する。好ましくは、前記キャリア板１６０の厚さＴは、２ｍｍ≦Ｔ≦５０ｍｍをほぼ満足する。より好ましくは、前記キャリア板１６０の厚さＴは、１０ｍｍ≦Ｔ≦２０ｍｍをほぼ満足する。以上に挙げたキャリア板１６０の厚さＴはあくまで例示であり、本発明を限定するものではないことを理解されたい。キャリア板１６０の厚さＴは、当業者が実際の需要に応じて変更できるものである。
【００３６】
図２は、本発明の複数の実施例の光学フィルム１５０のヘイズ値、および対応するキャリア板１６０の厚さＴを示すグラフである。図２に示す５つの実施例のいずれも、図１に示す表示装置を使用するとともに、各実施例において、光学フィルム１５０のヘイズ値とキャリア板１６０の厚さＴが変数である以外に、その他の各材料およびサイズパラメータが同様である。以上の５つの実施例において、いずれも干渉縞が観測されることがない。図２から分かるように、キャリア板１６０の厚さＴが厚いほど、必要とする光学フィルム１５０のヘイズ値が小さくなる。相対的に、キャリア板１６０の厚さＴが薄いほど、必要とする光学フィルム１５０のヘイズ値が大きくなる。
【００３７】
例えば、キャリア板１６０の厚さＴが４７ｍｍである場合、光学フィルム１５０のヘイズ値が１３％であれば、肉眼で見えない程度まで干渉縞を軽減させることができる。キャリア板１６０の厚さＴが２０ｍｍである場合、光学フィルム１５０のヘイズ値が２５％であるときに、肉眼で見えない程度まで干渉縞を軽減させることができる。キャリア板１６０の厚さＴが１０ｍｍである場合、光学フィルム１５０のヘイズ値が５０％になったときに、肉眼で見えない程度まで干渉縞を軽減させることができる。キャリア板１６０の厚さＴが２ｍｍである場合、光学フィルム１５０のヘイズ値がさらに７６％になったときに、肉眼で見えない程度まで干渉縞を軽減させることができる。キャリア板１６０がない場合（あるいは、キャリア板１６０の厚さＴが０ｍｍの場合）、光学フィルム１５０のヘイズ値が８８％になったときに、肉眼で見えない程度まで干渉縞を軽減させることができる。
【００３８】
また、光学フィルム１５０の材質が軟質材料である場合もあるため、キャリア板１６０は、光学フィルム１５０の平坦度を維持するように光学フィルム１５０を載置するためのものであってもよい。前記キャリア板１６０の材質は、任意の透明固体材料、例えば、アクリル、ガラス等であってもよい。なお、前記キャリア板１６０の屈折率は、約１〜３であってもよい。以上に挙げたキャリア板１６０の材質および屈折率はあくまで例示であり、本発明を限定するものではないことを理解されたい。キャリア板１６０の材質および屈折率は、当業者が実際の需要に応じて変更できるものである。
【００３９】
本実施形態において、キャリア板１６０は、後面表示パネル１３０に直接接触してもよく、即ち、キャリア板１６０と後面表示パネル１３０との間には、エアギャップが存在しなくてもよい。このように、後面表示パネル１３０から出射した光線は、先にエアギャップにおいて屈折した後にエアギャップからキャリア板１６０において屈折することなく、キャリア板１６０に直接入射する。そうすることで、エアギャップによる反射損失を低減させることができ、さらに光取り出し効率を向上させる。当然ながら、場合によって、キャリア板１６０は、後面表示パネル１３０に直接接触しなくてもよい。即ち、キャリア板１６０と後面表示パネル１３０との間には、エアギャップが存在してもよい。キャリア板１６０と後面表示パネル１３０の相対的な位置関係は、当業者が実際の需要に応じて変更できるものである。
【００４０】
本実施形態において、前記後面表示パネル１３０は、下偏光フィルム１３２、アレイ基板１３４、対向基板１３６、上偏光フィルム１３８および液晶層１３９を含んでいる。アレイ基板１３４は、下偏光フィルム１３２と光学フィルム１５０との間に位置している。対向基板１３６は、アレイ基板１３４と光学フィルム１５０との間に位置している。上偏光フィルム１３８は、対向基板１３６と光学フィルム１５０との間に位置している。液晶層１３９は、アレイ基板１３４と対向基板１３６との間に位置している。
【００４１】
本実施形態において、前記表示装置は、バックライトモジュール１７０をさらに含んでもよい。このバックライトモジュール１７０は、後面表示パネル１３０の後方に位置することで、バックライトモジュール１７０と光学フィルム１５０との間に後面表示パネル１３０を位置させる。前記バックライトモジュール１７０は、後面表示パネル１３０および前面表示パネル１２０のバックライトとされてもよい。バックライトモジュール１７０から出射した光線は、後面表示パネル１３０、キャリア板１６０、光学フィルム１５０および前面表示パネル１２０を透過して使用者の目まで到達する。こうすることで、使用者は、後面表示パネル１３０および前面表示パネル１２０により出力された画像を鑑賞する。
【００４２】
本実施形態において、前記前面表示パネル１２０は、透明表示パネルである。より具体的には、前記前面表示パネル１２０は、下偏光フィルム１２２、アレイ基板１２４、対向基板１２６、上偏光フィルム１２８および液晶層１２９を含んでいる。下偏光フィルム１２２は、上偏光フィルム１２８と光学フィルム１５０との間に位置している。アレイ基板１２４は、上偏光フィルム１２８と下偏光フィルム１２２との間に位置している。対向基板１２６は、上偏光フィルム１２８とアレイ基板１２４との間に位置している。液晶層１２９は、アレイ基板１２４と対向基板１２６との間に位置している。
【００４３】
前記下偏光フィルム１２２、アレイ基板１２４、対向基板１２６、上偏光フィルム１２８および液晶層１２９のいずれも透明材質であってもよい。そのため、表示時に、使用者は、前面表示パネル１２０により出力された画像を見ることができる以外に、前面表示パネル１２０を透過して展示空間Ｉ内の展示物、および後面表示パネル１３０に出力された画像を見ることもできる。
【００４４】
図１において前面表示パネル１２０は、液晶パネルに図示されるが、本発明を限定するためのものではないことを理解されたい。実際に、前面表示パネル１２０としては、画素アレイ配列によりなる透明表示パネルであればよい。例えば、本発明の一つ以上の実施形態において、前記前面表示パネル１２０は、有機ＥＬディスプレイ（Ｏｒｇａｎｉｃ  Ｌｉｇｈｔ−Ｅｍｉｔｔｉｎｇ  Ｄｉｏｄｅ  Ｄｉｓｐｌａｙ：ＯＬＥＤ  Ｄｉｓｐｌａｙ）であってもよい。
【００４５】
図１に示すように、前記展示空間Ｉのサイズは、前面表示パネル１２０と後面表示パネル１３０との間の距離Ｄ、キャリア板１６０の厚さＴ、および光学フィルム１５０の厚さに応じて定められる。一般に、前面表示パネル１２０と後面表示パネル１３０との間の距離Ｄが長いほど、展示空間Ｉが広くなる。
【００４６】
本実施形態において、前面表示パネル１２０と後面表示パネル１３０との間の距離Ｄは、約１〜２０ｃｍである。以上に挙げた前面表示パネル１２０と後面表示パネル１３０との間の距離Ｄはあくまで例示であり、本発明を限定するものではないことを理解されたい。前面表示パネル１２０と後面表示パネル１３０との間の距離Ｄは、当業者が実際の需要に応じて変更できるものである。
【００４７】
また、前面表示パネル１２０と後面表示パネル１３０との間の距離Ｄが長くなることに伴って、前面表示パネル１２０から観測された後面表示パネル１３０の画素アレイ配列がぼやけていく。そのため、前面表示パネル１２０と後面表示パネル１３０との間の距離Ｄが長くなることに伴って、必要とする光学フィルム１５０のヘイズ値が小さくなる。
【００４８】
本発明の一つの実施例において、主に図１に示す表示装置を使用する。前面表示パネル１２０および後面表示パネル１３０の画素密度は、いずれも８６ＰＰＩ（Ｐｉｘｅｌｓ  ｐｅｒ  ｉｎｃｈ：１インチにあたりの画素数）である。キャリア板１６０は、厚さＴが２０ｍｍで、材質がガラスで、屈折率が１．４であるものである。光学フィルム１５０の材質は、シリカ／アクリル系樹脂の混合材料塗装層を有する三酢酸セルロースであり、そのヘイズ値が２５％である。このような配置により、観測者はいずれの距離においても干渉縞を観測することがない。
【００４９】
（第２実施形態）
図３は、本発明の第２実施形態に係る表示装置を示す概略断面図である。第２実施形態が第１実施形態と異なる点は、第２実施形態において、キャリア板１６０が光学フィルム１５０と前面表示パネル１２０との間に介在している点である。
【００５０】
第１実施形態および第２実施形態により、キャリア板１６０は、光学フィルム１５０を載置するとともに、光学フィルム１５０の平坦度を維持することさえできれば、光学フィルム１５０と後面表示パネル１３０との間に介在する以外に、光学フィルム１５０と前面表示パネル１２０との間に介在していてもよい。
【００５１】
また、第２実施形態において、光学フィルム１５０と後面表示パネル１３０との間には、エアギャップＧが存在していてもよい。このエアギャップＧにより、光学フィルム１５０が後面表示パネル１３０に直接接触することによって、光学フィルム１５０に傷がつくことを回避できる。当然ながら、場合によって、光学フィルム１５０は、後面表示パネル１３０に直接接触してもよい。すわなち、光学フィルム１５０と後面表示パネル１３０との間には、エアギャップＧが存在しなくてもよい。光学フィルム１５０と後面表示パネル１３０との間の相対的な位置関係は、当業者が実際の需要に応じて変更できるものである。
【００５２】
他の関連構造および材質の詳細については、第１実施形態と重複するため説明を省略する。
【００５３】
（第３実施形態）
図４は、本発明の第３実施形態に係る表示装置を示す概略断面図である。第３実施形態が第１実施形態と異なる点は、第３実施形態において、前面表示パネル１２０と後面表示パネル１３０とを重ね合わせて設置するため、後面表示パネル１３０に上偏光フィルムを省略でき、前面表示パネル１２０の下偏光フィルム１２２をそのまま後面表示パネル１３０の上偏光フィルムとして用いる点である。具体的には、第３実施形態において、後面表示パネル１３０の対向基板１３６と光学フィルム１５０との間には、いずれの偏光フィルムを有していない。このような設計により、後面表示パネル１３０の透過率を向上させることができる。
【００５４】
他の関連構造および材質の詳細については、第１実施形態と重複するため説明を省略する。
【００５５】
（第４実施形態）
図５は、本発明の第４実施形態に係る表示装置を示す概略断面図である。第４実施形態が第１実施形態と異なる点は、第４実施形態において、光学フィルム１５０と後面表示パネル１３０との間のキャリア板を省略し、光学フィルム１５０を後面表示パネル１３０に直接貼り付けることが可能な点である。
【００５６】
他の関連構造および材質の詳細については、第１実施形態と重複するため説明を省略する。
【００５７】
本発明について上述した実施形態を参照して説明したが、これは本発明を限定するものではなく、当業者であれば、本発明の精神及び範囲を逸脱しない限り、各種の変動や潤色を加えることができる。従って、本発明の保護を求める範囲は、特許請求の範囲を基準とする。
【符号の説明】
【００５８】
１１０  ライトボックス
１１２  前面板
１１４  後面板
１１６  横板
１２０  前面表示パネル
１２２  下偏光フィルム
１２４  アレイ基板
１２６  対向基板
１２８  上偏光フィルム
１２９  液晶層
１３０  後面表示パネル
１３２  下偏光フィルム
１３４  アレイ基板
１３６  対向基板
１３８  上偏光フィルム
１３９  液晶層
１４０  側面光源
１５０  光学フィルム
１６０  キャリア板
１７０  バックライトモジュール
Ｄ      距離
Ｇ      エアギャップ
Ｉ      展示空間
Ｏ      開口
Ｔ      厚さ
【図１】
2015072441.tif 000003
【図２】
2015072441.tif 000004
【図３】
2015072441.tif 000005
【図４】
2015072441.tif 000006
【図５】
2015072441.tif 000007
【手続補正書】
【提出日】平成27年2月12日(2015.2.12)
【手続補正１】
【補正対象書類名】特許請求の範囲
【補正対象項目名】全文
【補正方法】変更
【補正の内容】
【特許請求の範囲】
【請求項１】
表示装置であって、ライトボックスと、前面表示パネルと、後面表示パネルと、少なくとも１つの側面光源と、少なくとも１枚の光学フィルムと、を含み、
前記ライトボックスは、対向する前面板および後面板と、前記前面板および前記後面板に隣接する少なくとも１つの横板とを有し、前記前面板が開口を有し、
前記前面表示パネルは、前記前面板の前記開口に位置し、
前記後面表示パネルは、前記ライトボックス内に位置し、
前記前面表示パネルと前記後面表示パネルとの間には、展示物を展示するための展示空間を有し、
前記側面光源は、前記横板に位置し、前記展示物を照らすために設けられ、
前記光学フィルムは、前記前面表示パネルと前記後面表示パネルとの間に位置し、ヘイズ値を有し、
前記ヘイズ値は、１０〜９０％であることを特徴とする表示装置。
【請求項２】
前記光学フィルムの前記ヘイズ値は、１３〜８８％であることを特徴とする請求項１に記載の表示装置。
【請求項３】
前記光学フィルムの前記ヘイズ値は、２５〜５０％であることを特徴とする請求項１に記載の表示装置。
【請求項４】
前記光学フィルムを載置するキャリア板をさらに含むことを特徴とする請求項２に記載の表示装置。
【請求項５】
前記キャリア板は、前記光学フィルムと前記後面表示パネルとの間に介在することを特徴とする請求項４に記載の表示装置。
【請求項６】
前記キャリア板の屈折率は、１〜３であることを特徴とする請求項５に記載の表示装置。
【請求項７】
前記キャリア板の厚さＴは、０ｍｍ＜Ｔ≦５０ｍｍをほぼ満足することを特徴とする請求項５に記載の表示装置。
【請求項８】
前記キャリア板の厚さＴは、２ｍｍ≦Ｔ≦５０ｍｍをほぼ満足することを特徴とする請求項５に記載の表示装置。
【請求項９】
前記キャリア板の厚さＴは、１０ｍｍ≦Ｔ≦２０ｍｍをほぼ満足することを特徴とする請求項５に記載の表示装置。
【請求項１０】
前記キャリア板は、前記光学フィルムと前記前面表示パネルとの間に介在することを特徴とする請求項４に記載の表示装置。
【請求項１１】
前記光学フィルムと前記後面表示パネルとの間には、エアギャップが存在することを特徴とする請求項１に記載の表示装置。
【請求項１２】
前記前面表示パネルと前記後面表示パネルとの間の距離は、１〜２０ｃｍであることを特徴とする請求項１に記載の表示装置。
【請求項１３】
前記光学フィルムは、偏光構造を有することを特徴とする請求項１に記載の表示装置。
【請求項１４】
前記後面表示パネルは、
下偏光フィルムと、
前記下偏光フィルムと前記光学フィルムとの間に位置するアレイ基板と、
前記アレイ基板と前記光学フィルムとの間に位置し、前記光学フィルムとの間にいずれの偏光フィルムを有していない対向基板と、
前記アレイ基板と前記対向基板との間に位置する液晶層と、を含むことを特徴とする請求項１に記載の表示装置。
【請求項１５】
前記後面表示パネルの後方に位置することで、前記光学フィルムとの間に前記後面表示パネルを位置させるバックライトモジュールをさらに含むことを特徴とする請求項１に記載の表示装置。
【請求項１６】
前記前面表示パネルは、透明表示パネルであることを特徴とする請求項１に記載の表示装置。
【請求項１７】
前記光学フィルムは、前記後面表示パネル上に直接貼り付けられることを特徴とする請求項１に記載の表示装置。
【手続補正２】
【補正対象書類名】明細書
【補正対象項目名】０００７
【補正方法】変更
【補正の内容】
【０００７】
本発明の一実施形態に係る表示装置は、ライトボックスと、前面表示パネルと、後面表示パネルと、少なくとも１つの側面光源と、少なくとも１枚の光学フィルムとを含む。ライトボックスは、対向する前面板および後面板と、前面板および後面板に隣接する少なくとも１つの横板とを有するとともに、前面板が開口を有する。前面表示パネルは、前面板の開口に位置する。後面表示パネルは、ライトボックス内に位置する。前面表示パネルと後面表示パネルとの間には、展示物を展示するための展示空間を有する。側面光源は、横板に位置し、展示物を照らすために設けられる。光学フィルムは、前面表示パネルと後パネルとの間に位置し、ヘイズ値（Ｈａｚｅ）を有する。ヘイズ値は、１０〜９０％である。
【手続補正３】
【補正対象書類名】明細書
【補正対象項目名】０００８
【補正方法】変更
【補正の内容】
【０００８】
本発明の一つ以上の実施形態において、前記光学フィルムのヘイズ値は、１３〜８８％である。 
【手続補正４】
【補正対象書類名】明細書
【補正対象項目名】０００９
【補正方法】変更
【補正の内容】
【０００９】
本発明の一つ以上の実施形態において、前記光学フィルムのヘイズ値は、２５〜５０％である。
【手続補正５】
【補正対象書類名】明細書
【補正対象項目名】００１２
【補正方法】変更
【補正の内容】
【００１２】
本発明の一つ以上の実施形態において、前記キャリア板の屈折率は、１〜３である。
【手続補正６】
【補正対象書類名】明細書
【補正対象項目名】００１８
【補正方法】変更
【補正の内容】
【００１８】
本発明の一つ以上の実施形態において、前記前面表示パネルと後面表示パネルとの間の距離は、１〜２０ｃｍである。